(57)【要約】  女性用ケア吸収性物品は、外側カバーと、該外側カバーと重なる関係にあって、身体対向面を定める吸収性構造体とを含む。ローション製剤は、着用者の身体の特定の領域を目標とする区分された位置における身体対向面上に付着される。
2005511246.tif 000002
【特許請求の範囲】
【請求項１】
女性用ケア吸収性物品であって、
外側カバーと、
前記外側カバーと重なる関係にあり、身体対向面を定める吸収性構造体と、
着用者の特定の身体領域を目標とする少なくとも１つの区分された位置において前記身体対向面上に付着されたローション製剤と、
を含み、前記ローション製剤が前記目標とされる身体領域特有の皮膚健康問題に対処するように設計されたことを特徴とする女性用ケア吸収性物品。
【請求項２】
前記吸収性構造体が、前記身体対向面を定める液体透過性の身体側ライナと、前記身体側ライナと前記外側カバーとの間に配設された吸収体とを含む請求項１に記載の女性用ケア吸収性物品。
【請求項３】
前記ローション製剤が、特に着用者の肛門領域を目標とする前記身体対向面の領域上の区分された位置に付着された請求項１に記載の女性用ケア吸収性物品。
【請求項４】
前記肛門用の個別のローション付着域が、前記身体対向面の一方の縦方向端部に島状の付着域からなり、着用者が前記縦方向端部を肛門領域に隣接して位置させるようになった請求項３に記載の女性用吸収性物品。
【請求項５】
前記ローション製剤の付加的な島状の付着域を、前記身体対向面の縦方向両端部に更に含み、着用者がいずれの前記縦方向端部も前記肛門領域に隣接して位置できるようになった請求項４に記載の女性用ケア吸収性物品。
【請求項６】
前記個別のローション付着域が、前記身体対向面の対向する側部に沿って、縦方向に延びる帯を含むようになった請求項１に記載の女性用ケア吸収性物品。
【請求項７】
前記個別のローション付着域が、前記身体対向面ライナの周囲に配設された請求項１に記載の女性用ケア吸収性物品。
【請求項８】
前記ローション製剤がエモリエントを含む請求項１に記載の女性用ケア吸収性物品。
【請求項９】
前記ローション製剤が皮膚保護剤を含む請求項１に記載の女性用ケア吸収性物品。
【請求項１０】
前記ローション製剤が蝋を含む請求項１に記載の女性用ケア吸収性物品。
【請求項１１】
前記ローション製剤が、少なくとも１つのエモリエントと、少なくとも１つの皮膚保護剤と、少なくとも１つの蝋との組み合わせを含む請求項１に記載の女性用ケア吸収性物品。
【請求項１２】
前記身体対向面が、前記個別のローション付着に加えて、皮膚健康添加剤を用いて、ほぼ均一に処理された請求項１に記載の女性用吸収性物品。
【請求項１３】
側部に延びる保護ウイング部分を更に含み、前記個別のローション付着域が少なくとも部分的に前記ウイング部分に与えられた請求項１に記載の女性用ケア吸収性物品。
【請求項１４】
外側カバーと、
前記外側カバーに重なる関係で接続され、身体対向面を有する液体透過性の身体側ライナと、
前記身体側ライナと前記外側カバーとの間に配設された吸収体と、
区分された位置における前記身体側ライナの前記身体対向面上に付着されたローション製剤と、
を備え、前記区分された位置が、前記身体側ライナの両側縁に沿って配設された縦方向に延びる帯を含み、前記帯が皮膚健康利益を与え、更に前記吸収性物品の側部に沿って漏れに対する流体障壁保護を与えることを特徴とする女性用ケア吸収性物品。
【請求項１５】
前記縦方向に延びる帯が前記側縁に沿って連続したものである請求項１４に記載の女性用ケア吸収性物品。
【請求項１６】
前記縦方向に延びる帯が前記側縁に沿って不連続なものである請求項１４に記載の女性用ケア吸収性物品。
【請求項１７】
前記ローション製剤の区分された付着域が、更に、前記身体側ライナの縦方向端部に配設された帯を含むようになった請求項１４に記載の女性用ケア吸収性物品。
【請求項１８】
前記ローション製剤の区分された付着域が、少なくとも１つの付着域を、着用者の肛門位置を目標とする位置における前記身体側ライナの縦方向端部に含むようになった請求項１４に記載の女性用ケア吸収性物品。
【請求項１９】
前記ローション製剤の区分された付着域を、更に、前記着用者の肛門位置を目標とする位置における前記身体側ライナの縦方向端部の各々に含み、着用者が前記物品をいずれの縦方向の方位においても着用できるようになった請求項１８に記載の女性用ケア吸収性物品。
【請求項２０】
前記ローション製剤がエモリエントを含む請求項１４に記載の女性用ケア吸収性物品。
【請求項２１】
前記ローション製剤が皮膚保護剤を含む請求項１４に記載の女性用ケア吸収性物品。
【請求項２２】
前記ローション製剤が蝋を含む請求項１４に記載の女性用ケア吸収性物品。
【請求項２３】
前記ローション製剤が、少なくとも１つのエモリエントと、少なくとも１つの皮膚保護剤と、少なくとも１つの蝋との組み合わせを含む請求項１４に記載の女性用ケア吸収性物品。
【請求項２４】
前記身体側ライナが、更に、皮膚健康処理添加剤を用いてほぼ均一に処理された請求項１４に記載の女性用ケア吸収性物品。
【請求項２５】
保護ウイング部分を更に含み、前記ローション製剤の帯が、少なくとも部分的に前記ウイング部分上に延びるようになった請求項１４に記載の女性用ケア吸収性物品。
【発明の詳細な説明】
【技術分野】
【０００１】
本発明は、一般に、パッド及びライナのような女性用ケア吸収性製品に関し、より具体的には、着用者の皮膚の健康及び良い状態を向上させる女性用ケア製品に関する。
【背景技術】
【０００２】
パッド及びライナのような女性用ケア製品は、着用者の身体に対して又はこれに近接して置かれる吸収性物品であり、身体排出物を吸収して収めるように設計されている。このような物品は、一般には、比較的短い使用期間後に廃棄される単一使用即ち使い捨ての物品である。製品は、典型的には、液体透過性の身体側ライナ又はカバーと、液体不透過性の外側カバー又は裏面シートと、該身体側ライナと該外側カバーとの間に配設された吸収性材料又は構造体とを含む。液体不透過性の外側カバーは、通気性透過性又は水蒸気透過性とすることもできる。
【０００３】
着用者の皮膚と接触する身体側ライナは、典型的には、不織スパンボンド・ポリオレフィン材料のような柔らかく適合性のある材料から作られているが、依然として、使用中に皮膚を摩損して皮膚に刺激感及び乾燥を引き起こすことがある。更に、身体側ライナは、皮膚を完全に体液から乾燥させる状態にしないこともある。月経その他の膣分泌物は、皮膚の外側障壁層を損傷して皮膚の炎症及び刺激感をもたらすことがある種々の成分を含むことがある。多くの女性用ケア製品の着用者はまた、痔、炎症、慢性の痒み等のような肛門領域の疾患にも悩まされている。通常の女性用ケア製品は肛門疾患に対処するものではなく、これらの疾患を単に悪化させる傾向をもつことがある。
【０００４】
皮膚刺激の可能性を減少させるために、着用者は、物品の着用に先立ち、皮膚保護製品を皮膚に直接塗布することもできる。こうした製品は、種々の市販のクリーム及びローションを含む。特におむつ及び失禁用物品の技術分野では、皮膚の健康を向上させるために、身体側ライナにローション製剤その他の薬剤を塗布することが知られている。使用中に、ローション製剤は皮膚に伝達されるか又は潤滑性を与え、従って、ライナと身体との間の摩擦が減少するようになる。米国特許第６，２８７，５８１  Ｂ１号、米国特許第６，１４９，９３４号、米国特許第６，２８１，４０７  Ｂ１号を参照されたい。米国特許第６，１４９，９３４号は、特に、ローション製剤を吸収性物品の身体側ライナの表面積全体に塗布することができ、或いは該ライナの特定の区域に（即ち複数の縞状パターンの形で）塗布して、こうした区域に、より大きな潤滑性をもたらすことができるということを教示している。
【０００５】
上記のことを考慮して、こうした製品を着用することで引き起こされることがある肛門疾患、及び刺激感又は皮膚問題の緩和を与えながら、皮膚の健康面で向上された利益を与える、改善された女性用ケア吸収性物品についての要求及び必要性があることが認識される。
【発明の開示】
【０００６】
本発明の目的及び利点は、以下の説明において部分的に述べられ、又はその説明から明らかであり、或いは本発明の実施を通して理解することができる。
【０００７】
本発明は、外側カバーと、内側身体側ライナと、該外側カバーと該身体側ライナとの間に配設された吸収体とを有するパッド又はライナのような女性用ケア吸収性物品を提供する。皮膚健康添加剤、特にローション製剤の、個別の局部化された付着域が、身体側ライナの身体対向面に設けられる。これらの付着域は、着用者の皮膚の目標領域に、高められた程度の潤滑性及び保護を与えることにより、増加された皮膚健康利益をもたらす。付着の量は、所望の皮膚健康利益によって変化させることができ、例えば身体側ライナの合計重量の約０．５％から約５０％までの範囲内とすることができる。
【０００８】
１つの具体的な実施形態においては、区分された付着域は、身体側ライナの縦方向側部に沿って配設された、縦方向に延びる帯として定められる。これらの帯は、ライナの問題のある側部に沿って皮膚保護を与え、更に物品の側部からの漏れに対する液体障壁として働くことができる。
【０００９】
別の具体的な有利な実施形態においては、区分された付着域は、着用者の肛門領域を目標とする位置において、身体側ライナの一方の又は両方の縦方向端部に定められる。「肛門用の」という用語は、着用者の直腸及び肛門だけでなく、隣接する周囲の皮膚領域のことでもあることを理解されたい。これらの目標部位におけるローション製剤の付着は、痔による痛み、痒み、及び炎症、及び他の肛門疾患及び症状（不快感）を緩和することができる。
【００１０】
更に別の実施形態においては、身体側ライナは、皮膚健康添加剤により、ほぼ均一に処理され、且つその表面上に、付加的に選択的に位置されたローション製剤の付着域を有する。
【００１１】
更にまた別の実施形態においては、ローション製剤の区分された付着域は、身体側ライナの側縁及び縦方向端部における帯の組み合わせ、並びに少なくとも１つの肛門用の付着とを含むことができる。
【００１２】
ローション製剤は、本発明の範囲と精神及び範囲内で、幅広く変化させることができる。種々の製剤は広く知られており、当該技術分野では、皮膚健康利益を与えるために、及び特定の皮膚疾患又は刺激症状に対処するか又はこれを阻止するように用いられている。ローション製剤は、身体側ライナの皮膚に対する摩損性を減少させ、且つ皮膚に伝達された際には皮膚状態を維持することを助ける潤滑剤として働く少なくとも１つのエモリエントを含むことが望ましいとすることができる。エモリエントは、例えば、油、エステル、グリセロール・エステル、エーテル、アルコキシ化カルボン酸、アルコキシ化アルコール、脂肪アルコール、及びその組み合わせからなるグループから選択することができる。選択される蝋は、天然、合成、又はその組み合わせとすることができる。
【００１３】
ローション製剤は、更に、例えば、全て天然とすることも合成とすることもできる動物性蝋、植物性蝋、鉱物性蝋、シリコーンベースの蝋、及びその組み合わせからなるグループから選択された少なくとも１つの蝋を含むことができる。
【００１４】
ローション製剤は、更に、傷ついた又は露出した皮膚或いは粘膜表面を、有害な又は不快な刺激から保護する少なくとも１つの皮膚保護剤を含むことができる。
【００１５】
ローション製剤は、多数の周知の方法のいずれか１つを用いて、身体側ライナの個別の局部化された領域に塗布することができる。製剤は、例えば、ライナに噴霧するか又はスロット被覆することができる。他の方法は、輪転グラビア法又はフレキソ印刷を含む。
【００１６】
本発明は、図に述べられる実施形態を参照して、以下で更に詳細に説明される。
【００１７】
本発明は、次の本発明の実施形態の詳細な説明及び添付の図面を参照する場合に、より完全に理解され、更に利点が明らかになるであろう。
【発明を実施するための最良の形態】
【００１８】
ここで、本発明の１つ又はそれ以上の実施形態を詳細に参照し、この例は図面に示されている。各実施形態は、本発明を限定するものではなく、本発明を説明するものとして与えられる。例えば、１つの実施形態の一部として示されるか又は述べられる特徴を別の実施形態に用いて、更に別の実施形態を生み出すことができる。本発明は、本発明の範囲及び精神の中にあるこれらその他の修正及び変更を含むことが意図される。
【００１９】
以下の説明は、一般的な女性用ケア吸収性物品との関連でなされる。本発明は、いかなる特定の種類又は構成の物品にも限定されないことを理解されたい。例えば、本発明は、図に示す砂時計形状のパッドのようないずれの吸収性パッド又はパンティライナの構成も包含する。他の構成は、長方形、楕円形、「Ｔ字」形態、非対称形、ドッグボーン等を含み、機械的であるか又は接着剤の取付け手段をもつ側部保護部（ウイング又は延長部）を有することができる。
【００２０】
図１及び図２を参照すると、パッド又はライナのような典型的な女性用ケア吸収性物品１０が示されている。物品１０は、縦方向端部２４及び２６と、対向する縦方向側部２８及び３０とを含み、着用者の脚の間の股領域を通って延びるように設計されている。図２は物品１０の断面図である。この図では、物品１０が実質的に液体不透過性の外側カバー１２と、該外側カバー１２に重なる関係にある吸収性構造体とを含むことがわかる。吸収性構造体は、種々の層及び／又は構成材を含むことができる。最上部の構成材は、着用者の皮膚に対して配設された身体対向面１６を定める。図示実施形態においては、吸収性構造体は、身体対向面１６を定める多孔性の液体透過性身体側ライナ１４と、外側カバー１２と該身体側ライナ１４との間に配設された吸収性パッドのような吸収体１８とを含む。身体側ライナ１４は、一般には、外側カバー１２に重なり、且つ同一の広がりをもつが、該外側カバー１２の面積より大きいか又は小さい面積を覆うこともできる。身体側ライナ１４、外側カバー１２、及び吸収体１８は、接着剤、超音波結合、熱結合等のような好適な取り付け手段を用いて互いに一体的に組み立てられる。図示実施形態においては、身体側ライナ１４及び外側カバー１２は、ホットメルト感圧式接着剤のような接着剤により互いに結合され、且つ吸収体１８に結合される。身体側ライナ１４は、物品１０の周囲で外側カバー１２に結合されて、周辺縁部領域１３を形成する。他の実施形態においては、外側カバー１２及び身体側ライナ１４は、吸収体１８の縁に連続する周辺部を有することができる。
【００２１】
外側カバー１２は、蒸気を吸収体１８から逃がすことを可能にする一方で、液体排出物が該外側カバー１２を通過することを防ぐ通気性材料で形成されることが望ましい。例えば、１つの具体的な実施形態においては、外側カバー１２は、微孔性フィルムに積層されたスパンボンド不織材料を含む、微孔性フィルム／不織ラミネートによって形成される。別の実施形態においては、外側カバー１２は、穿孔フィルムから作られる。外側カバー１２に好適な材料は、当業者によく知られており、多くのそうした材料は、例えば、米国特許第６，１４９，９３４号に詳細に説明されている。更に、外側カバー１２に好適な通気性材料の説明については、米国特許第５，８７９，３４１号、米国特許第５，８４３，０５６号、米国特許第５，８５５，９９９号への参照がなされる。
【００２２】
身体側ライナ１４は、適合性があって柔らかく、着用者の皮膚を刺激しない身体対向面１６を与える。身体側ライナ１４は、吸収体１８に保持された液体から着用者の皮膚を隔離するのを助ける。更に、身体側ライナ１４は、吸収体１８より親水性を低くして着用者に対し比較的乾燥した表面を与えることができ、また液体透過性となるのに十分な多孔質にして、液体がその厚みを容易に通過できるようにすることができる。好適な身体側ライナ１４は、多孔性発泡体、網状発泡体、穿孔プラスチックフィルム、天然繊維、合成繊維、又はそのいずれかの組み合わせのようなウェブ材料の幅広い選択肢の中から作ることができる。種々の織布及び不織布を身体側ライナ１４に用いることができる。例えば、ライナ１４は、ポリオレフィン繊維のメルトブローン・ウェブか又はスパンボンド・ウェブで構成することができる。身体側ライナ１４は、更に、天然繊維及び／又は合成繊維からなるボンデッドカーデッド・ウェブとすることもできる。ライナは、実質的に疎水性の材料で構成することができ、これは、随意的に界面活性剤又は湿潤剤を用いて処理するか又は他の形で加工して、所望のレベルの湿潤性及び親水性を付与することができる。ライナは、皮膚健康処理剤を含む界面活性剤で処理することができる。この処理剤は、界面活性剤パッケージと併せて塗布してもよいし、又は別々の処理剤として塗布してもよい。
【００２３】
吸収体１８は、「超吸収性材料」として一般に知られている高吸収性材料の粒子と混合された、セルロース・フラフのウェブのような親水性繊維のマトリックス含むことができる。木材パルプフラフは、合成ポリマーのメルトブローン繊維か、又はメルトブローン繊維及び天然繊維の組み合わせと交換することができる。超吸収性粒子は、親水性繊維と実質的に均一に混合することもできるし、或いは不均一に混合することもできる。フラフ及び超吸収性粒子は、身体排出物をより良好に収容し吸収するために、吸収体１８の所望の区域に選択的に配置することができる。或いは、吸収体１８は、繊維ウェブ及び／又は繊維ウェブと超吸収性材料とのラミネート、又は超吸収性材料を局部的な領域に維持する他の好適な手段を含むことができる。
【００２４】
高吸収性材料は、天然、合成、及び改質天然のポリマー及び材料から選択することができる。高吸収性材料は、シリカゲルのような無機材料か、又は架橋ポリマーのような有機化合物とすることができる。「架橋」という用語は、通常は水溶性の材料を、効果的に実質的に非水溶性かつ水膨潤性にする何らかの手段を指す。こうした手段は、例えば、物理的交絡、結晶ドメイン、共有結合、イオン結合型錯体及び会合、水素結合のような親水性会合、及び疎水性会合すなわちファンデルワールス力を含む。
【００２５】
合成ポリマーの高吸収性材料の例としては、ポリ（アクリル酸）及びポリ（メタクリル酸）のアルカリ金属及びアンモニウム塩、ポリ（アクリルアミド）、ポリ（ビニルエーテル）、ビニルエーテルとα−オレフィンとの無水マレイン酸コポリマー、ポリ（ビニルピロリドン）、ポリ（ビニルモルホリノン）、ポリ（ビニルアルコール）、及びこれらの混合物、及びこれらのコポリマーが挙げられる。吸収体コアに用いるのに好適な更に別のポリマーは、加水分解アクリロニトリル−グラフトでんぷん、アクリル酸グラフトでんぷん、メチルセルロース、カルボキシメチルセルロース、ヒドロキシプロピルセルロース、及び、アルギン酸、キサンタンガム、イナゴマメガム等々のような天然ガム、といった天然ポリマー及び改質天然ポリマーが含まれる。天然吸収性ポリマーと、完全合成又は部分的合成吸収性ポリマーとの混合物も、本発明において有用となりうる。こうした高吸収性材料は当業者には周知であり、広く市販されている。本発明における使用に好適な超吸収性ポリマーの例は、バージニア州ポーツマス所在のヘキスト・セラニーズ社から入手可能なＳＡＮＷＥＴ  ＩＭ３９００ポリマー、及びミシガン州ミッドランド所在のダウ・ケミカル社から入手可能なＤＯＷ  ＤＲＹＴＥＣＨ  ２０３５ＬＤポリマーである。
【００２６】
高吸収性材料は、各種の幾何学的形状のいずれをとることもできる。一般に、高吸収性材料は、分離された粒子の形態であることが好ましい。しかしながら、高吸収性材料はまた、繊維状、フレーク状、ロッド状、球状、針状等の形態にすることもできる。一般に、高吸収性材料は、吸収体の全重量に基づき、吸収体中に約５重量パーセントから約９０重量パーセントまでの量で存在する。
【００２７】
吸収体１８の構造の一体性の維持を助けるために、親水性のティシュ・ラップシートを用いることができる。ティシュ・ラップシートは、典型的には、吸収体の周囲に、少なくとも２つのその主接面に重なるように配置され、クレープ加工された詰め物、又は高い湿潤強さをもつティシュのような吸収性セルロース系材料で構成される。ティシュ・ラップシートは、吸収体１８を構成する吸収性繊維の塊の上に液体を素早く拡散させるのに役立つ吸い上げ層を与えるように構成することができる。別の層をサージ層であるか又は伝達層などとして組み込むことができる。
【００２８】
本発明による吸収性物品１０は、以下でより詳細に説明するように、例えば身体側ライナ１４の身体対向面とすることができる該物品の身体対向面１６上に、ローション製剤の個別の局部化された付着域を組み入れる。本発明は、身体側ライナ１４を有する物品のみに限定されるものではないことを理解されたい。例えば、ある実施形態においては、物品はライナ１４を含まないことがあり、身体対向面は材料の吸収層によって定めることができる。この場合には、ローション製剤の付着は、直接吸収層の上になる。ローションの量は、本発明の範囲内で幅広く変化させることができる。例えば、身体側ライナが用いられる場合には、ローション製剤は身体側ライナ１４の重量の約０．５％から約５０％までの追加重量として存在することが望ましいことになる。本発明の必要条件ではないが、ローション製剤は、実質的に室温では固体とすることができ、従って、処理中に、及び高められた保管温度において、身体側ライナ１４及び吸収体１８の中に浸透及び移動する傾向が減少する。ローション製剤は、所望の皮膚健康利益を与えるように着用者の皮膚に接触して伝達されることができる身体対向面１６の上に実質的に残ることが望ましい。
【００２９】
ローション付着は、身体側ライナ１４に均一に塗布された全体的な皮膚健康処理剤に加えるものとすることができる。例えば、ライナ１４は、皮膚健康添加剤を含む界面活性剤を用いて処理することができ、或いは皮膚健康添加剤は、付加的な処理において塗布することもできる。ローション製剤に関してここで述べられる皮膚健康添加剤のいずれも、別々の全体的な処理剤としてライナ１４に塗布することができる。
【００３０】
本発明はどの特定のローション製剤にも制限されるものではない。ローション製剤は、エモリエントのどんな組み合わせも含むことができ、更に１つ又はそれ以上の蝋を含むこともできる。増粘剤もまた含むことができる。ローション製剤は、他の成分も含むことができる。
【００３１】
エモリエントは、皮膚に対する身体側ライナの摩損性を減少させ、皮膚に伝達された際には、その皮膚の柔らかく滑らかで且つ柔軟な外観を維持するのに役立つ潤滑剤として働く。ローション製剤に組み入れることができる好適なエモリエントは、ペトロラタムベースの油、植物性油、鉱物油、天然油又は合成油、シリコーン油、ラノリン及びラノリン誘導体、カオリン及びカオリン誘導体等の油及びこれらの組み合わせと、パルミチン酸セチル、パルミチン酸ステアリル、ステアリン酸セチル、ラウリン酸イソプロピル、ミリスチン酸イソプロピル、パルミチン酸イソプロピル等のエステル及びこれらの組み合わせ、グリセロール・エステルと、オイカリプトール、セテアリル・グルコシド、ジメチル・イソソルビド・ポリグリセリル−３・セチル・エーテル、ポリグリセリル−３・デシルテトラデカノール、プロピレングリコール・ミリスチル・エーテルのエーテル、及びこれらの組み合わせと、アルコキシ化カルボキシ酸と、アルコキシ化アルコールと、オクチルドデカノール、ラウリル、ミリスチル、セチル、ステアリル、及びベヘニル・アルコール等の脂肪アルコール及びその組み合わせとを含む。例えば、特に良好に適合するエモリエントはペトロラタムである。他の通常のエモリエントもまた、ここに述べられるローション製剤の所望の特性を維持するような方法で加えることができる。
【００３２】
着用者の皮膚に向上された安定性及び伝達を与えるために、ローション製剤は約５重量パーセントから約９５重量パーセントまで、望ましくは約２０重量パーセントから約７５重量パーセントまで、より望ましくは約４０重量パーセントから約６０重量パーセントまでのエモリエントを含むことができる。
【００３３】
本発明のローション製剤における蝋は、主として、エモリエント及びあらゆる有効成分の固定剤として機能する。エモリエントを固定し、その移動しようとする傾向を減少させることに加えて、ローション製剤における蝋は、該ローション製剤に、着用者の皮膚への伝達を向上させる粘着性を与える。ローションは、着用者の皮膚の上に実際に擦り込まれるのではなく、ひび割れるか又は剥がれ落ちる傾向があるという点で、蝋の存在は、更に、伝送モードを修正して、皮膚への伝達が改善されることになる。蝋は更に、エモリエント、閉塞剤、保湿剤、障壁促進剤、及びこれらの組み合わせとしても機能する。
【００３４】
ローション製剤の中に組み入れることができる好適な蝋は、例えばシロヤマモモ蝋、蜜蝋、Ｃ３０アルキル・ジメチコン、カンデリラ蝋、カルナバ蝋、セレシン、セチル・エステル、エスパルト、水添綿実油、水添ホホバ油、水添ホホバ蝋、水添ミクロクリスタリン蝋、水添米ぬか蝋、木蝋、ホホババター、ホホバエステル、ホホバ蝋、ラノリン蝋、ミクロクリスタリン蝋、ミンク蝋、モタン酸蝋、モタン蝋、オーリクリー蝋、オゾケライト、パラフィン、ＰＥＧ−６蜜蝋、ＰＥＧ−８蜜蝋、レゾワックス、米ぬか蝋、シェラック蝋、スペントグレイン蝋、鯨蝋、ステリル・ジメチコン、合成蜜蝋、合成カンデリラ蝋、合成カルナバ蝋、合成木蝋、合成ホホバ蝋、合成蝋等、及びこれらの組み合わせのような、天然であるか又は合成とすることができる、動物性、植物性、鉱物性、又はシリコーンベースの蝋を含む。例えば、特に良好に適合する蝋は、約７０重量パーセントのセレシン蝋と、約１０重量パーセントのミクロクリスタリン蝋と、約１０重量パーセントのパラフィン蝋と、約１０重量パーセントのセチル・エステル（合成鯨蝋）とを含む。
【００３５】
着用者の皮膚への向上された伝達を提供するために、ローション製剤は約５重量パーセントから約９５重量パーセントまで、望ましくは約２５重量パーセントから約７５重量パーセントまで、より望ましくは約４０重量パーセントから約６０重量パーセントまでの蝋を含むことができる。挙げられた量より少ない量の蝋を含むローション製剤は、ローションの望ましくない移動をもたらす、より低い粘性を有する傾向がある。一方、挙げられた量より大きい量の蝋を含むローション製剤は、着用者の皮膚に、より少ない伝達をもたらす傾向がある。
【００３６】
増粘剤は、身体側ライナ１４の身体対向面１６上のローション製剤を安定化させるのに役立つように、粘性を増加させるために該ローション製剤に加えられて、従って、移動を減少させて皮膚への伝達を向上させるようにすることができる。望ましくは、増粘剤は少なくとも約５０パーセント、より望ましくは少なくとも約１００パーセント、更に望ましくは少なくとも約５００パーセント、更により望ましくは少なくとも約１０００パーセント、更にまた望ましくは少なくとも約５０００パーセントだけ、ローション製剤の粘性を向上させる。ローション製剤に組み入れることができる好適な増粘剤は、ポリオレフィン樹脂、親油性／油濃厚剤、エチレン／酢酸ビニル・コポリマー、ポリエチレン、シリカ、タルク、コロイド状二酸化シリコーン、ステアリン酸亜鉛、セチル・ヒドロキシ・エチル・セルロース、その他の改質セルロース等、及びこれらの組み合わせを含む。例えば、特に良好に適合する増粘剤は、デラウェア州ウィルミントン所在のＥ．Ｉ．デュポン・ド・ヌムール社からＥＬＶＡＸの商標で入手可能なエチレン／酢酸ビニル・コポリマーである。
【００３７】
着用者の皮膚に対する伝達を向上させるためには、ローション製剤は、約０．１重量パーセントから約２５重量パーセントまで、望ましくは約５重量パーセントから約２０重量パーセントまで、より望ましくは約１０重量パーセントから約１５重量パーセントまでの増粘剤を、減少された移動と着用者の皮膚への向上された伝達のために含むことができる。
【００３８】
ローション製剤が皮膚を治療することが望ましい場合には、更に皮膚保護剤のような有効成分を含むこともできる。皮膚保護剤は、傷ついた又は露出した皮膚又は粘膜表面を、有害な又は不快な刺激から保護する薬物製品である。ローション製剤に含むことができる好適な有効成分は、好適なエモリエントとして上述したものに加えて、アラントイン及びその誘導体、水酸化アルミニウム・ゲル、カラミン、カカオ脂、ジメチコン、タラ肝油、グリセリン、カオリン及びその誘導体、ラノリン及びその誘導体、鉱物油、サメ肝油、タルク、局所でんぷん、酢酸亜鉛、カルボン酸亜鉛、及び酸化亜鉛等、及びこれらの組み合わせを含むが、これらに限られるものではない。ローション製剤は、皮膚保護剤及び皮膚に伝達されることが望まれる量に応じて、約０．１０重量パーセントから約９５重量パーセントまでの有効成分を含むことができる。
【００３９】
着用者に対する利益を更に高めるために、付加的な成分を本発明のローション製剤に含むことができる。例えば、用いることができる成分の分類と、これに対応する利益は、限定的ではないが、消泡剤（処理中に発泡する傾向を減少させる）、抗菌有効成分、抗真カビ有効成分、殺菌有効成分、抗酸化剤（製品の一体性）、収斂剤−化粧品（皮膚上に張りの感触又はちくちくする感触を誘起させる）、収斂剤−薬物（皮膚又は粘膜に塗布された時には、浸出、放出、又は出血をチェックし、たんぱく質を凝固させることにより作用する薬物製品）、生物学的添加剤（製品の性能又は消費者アピールを高める）、着色剤（製品に色を与える）、脱臭剤（不快な臭気を減少させるか又は除去し、身体表面に悪臭が形成されないようにする）、他のエモリエント（皮膚表面上にであるか又は角質層に残って、潤滑剤として作用し、剥離を減少させ、及び皮膚の外観を改善させるようにする能力により、皮膚の柔らかさ、滑らかさ、及び柔軟な外観を維持するのに役立つ）、外用鎮痛剤（皮膚感覚受容器を抑制することによる局部的な鎮痛作用、麻酔作用、又は止痒作用を有するか、又は皮膚感覚受容器を刺激することによる局部的な反対刺激効果を有する、局部的に塗布される薬物）、フィルム形成剤（乾燥した際に連続的なフィルムを皮膚上に生成することにより有効成分を皮膚上に保持する）、香料（消費者アピール）、シリコーン／有機改質シリコーン（保護、ティシュ耐水性、潤滑性、ティシュの柔らかさ）、油（鉱物性、植物性、及び動物性）、天然保湿剤（ＮＭＦ）その他の当業者に公知の皮膚保湿成分、乳白剤（製品外観の明瞭性即ち透明性を減少させる）、パウダー（潤滑性、吸油量を高め、皮膚保護、収斂性、乳白性等を与える）、皮膚調整剤、溶剤（化粧品又は薬物に有益であることがわかった成分を溶解するように用いられる液体）、及び界面活性剤（洗浄剤、乳化剤、可溶化剤、及び懸濁化剤として）を含む。
【００４０】
上述したように、ローション付着２０は、物品の身体対向面１６上の個別の局部化された付着として与えられる。付着２０の位置は、特定の問題ある領域を目標とするように選択される。図３から図６までは、戦略的に目標とされたローション付着２０の種々の実施形態を示す。図３は、ローション付着域が、身体側ライナ１４の対向する縦方向側部２８及び３０の間に沿って配設された、ほぼ縦方向に延びる帯として定められた実施形態を示す。ある使用者にとっては、吸収性物品の縦方向側部領域は、これが皮膚を摩擦して刺激感と全般的な不快感をもたらす傾向があるという点で、特に問題である。縦方向に延びるローション付着２０の帯は、側部領域と接触する皮膚を潤滑にすることによって、この問題を軽減するのに役立つことになる。帯２０は、更に、漏れが特に懸念される吸収性物品１０の側部に沿って、流体障壁保護という付加的な利益を与える。帯２０は、図面では連続的なものとして示されているが、該帯は更に、図６に示すもののように非連続的な付着パターンを含むこともできることを理解されたい。
【００４１】
図４は、個別のローション付着域が物品１０の縦方向端部２６にあり、具体的には肛門用の付着２２として意図されている実施形態を示す。この付着２２は、具体的には使用者の肛門領域を目標とするものであり、ローション製剤は、痔、痒み、腫れ等を含む肛門疾患及び不快感のいずれをも軽減するように特に選択することができる。この実施形態による吸収性物品１０は、従って、女性用ケア吸収性物品及び肛門領域治療装置の二重の目的を果たす。図示実施形態においては、肛門用の付着２２は、完全に局部化されて身体側ライナ１４により囲まれていることにより、「島状の」付着である。しかしながら、使用者の肛門領域の特定の目標化のためには、いかなる付着構成も利用できることを理解されたい。例えば、この目的のために、ライナ１４の縦方向端部全体をローション付着２０で被覆してもよい。特定の肛門問題及び皮膚問題のために、異なるローションを、身体側ライナの表面積に置くことができる。製品設計に従って、該製品に置かれる各ローション処理剤は、各領域が有することがある特定の皮膚問題のための別の製剤を有するように選択することができる。
【００４２】
特に対称形の物品に関して、吸収性物品１０のいずれの端部が肛門用のローション付着２２を含有するのかを使用者が判断しなくともよいように、該物品１０の縦方向端部２４及び２６の両方に肛門用のローション付着２２を含むことが望ましいとすることができる。この方法により、使用者は物品をいずれの縦方向にも方位付けることができる。
【００４３】
図５は、ローション付着域が、肛門用の付着２２及び縦方向に延びる側部帯２０の組み合わせとなっている実施形態を示す。
【００４４】
図６は、肛門用の付着２２が物品１０の縦方向端部２４及び２６の各々に与えられ、帯状付着２０がライナ１４の周辺部の周りに全体的に配設されている実施形態を示す。帯状付着２０は、物品１０の周囲全体の周りの皮膚を潤滑にして保護し、肛門用の付着２２は、使用者の肛門領域に健康上の利益を与える。
【００４５】
図７は、物品１０が保護側部即ち「ウイング」３４を含む実施形態を示す。ローション付着２０は、物品１０の側部に与えられ、ウイング３４にまで延びる。肛門用の付着２２もまた与えられる。物品１０の使用中に、ウイング３４を所定の位置に固定するために、通常の接着剤取り付けタブが、該ウイング３４に提供される。
【００４６】
本発明の範囲及び精神から離れることなく、種々の修正及び変更を、ここに述べられる本発明の実施形態に行うことができることが当業者に理解される。本発明は、このような修正及び変更を含み、これらが特許請求の範囲内にあることが意図される。
【図面の簡単な説明】
【００４７】
【図１】典型的な女性用ケア吸収性物品の斜視図である。
【図２】図１に示される線に沿って取った図１の物品の断面図である。
【図３】本発明による吸収性物品のある実施形態の身体側ライナの図である。
【図４】本発明による吸収性物品の代替的な実施形態の身体側ライナの図である。
【図５】本発明による吸収性物品の更に別の実施形態の身体側ライナの図である。
【図６】本発明による吸収性物品の更にまた別の実施形態の身体側ライナの図である。
【図７】本発明による吸収性物品の別の実施形態の身体側ライナの図である。
【図１】
2005511246.tif 000003
【図２】
2005511246.tif 000004
【図３】
2005511246.tif 000005
【図４】
2005511246.tif 000006
【図５】
2005511246.tif 000007
【図６】
2005511246.tif 000008
【図７】
2005511246.tif 000009
【国際調査報告】
2005511246.tif 000010
2005511246.tif 000011
2005511246.tif 000012
2005511246.tif 000013